(57)【特許請求の範囲】
【請求項１】
開口部を有する袋本体と、指サック部材とを備える食品用袋であって、
前記指サック部材は、前記袋本体の前記開口部を形成する側面のうち、少なくとも相互に対向する側面の何れか一方の外側表面に沿って延びており、
前記指サック部材には前記食品用袋のユーザーが一本の指を入れることができる空洞部が形成されており、
前記指サック部材は前記袋本体とは別体の袋状部材からなり、
前記指サック部材は前記空洞部の開口部の一点において前記袋本体に対して連結されている食品用袋。
【請求項２】
前記指サック部材は前記側面の双方の外側表面に形成されており、前記指サック部材は、前記空洞部の前記開口部が同じ方向を向くように、前記袋本体に対して取り付けられていることを特徴とする請求項１に記載の食品用袋。
【請求項３】
前記食品用袋は複数の指サック部材を備えており、前記複数の指サック部材は前記開口部と前記袋本体の底部との間において相互に間隔を開けて配置されていることを特徴とする請求項１または２に記載の食品用袋。
【発明の詳細な説明】
【技術分野】
【０００１】
本発明は食品用袋に関し、より詳細には、例えば、フライドチキンやコロッケなどの揚げ物のように、手で直接触れると手が汚れるような食品を入れる食品用袋に関する。
【背景技術】
【０００２】
手で直接触れると手が汚れるような食品（例えば、フライドチキンやコロッケなどのように油で揚げたもの、ドーナツやパイのように表面に粘着性のシロップや調味料が付着しているものなど）を店内（あるいは店外）で食する場合、袋（多くの場合、紙製）に入れられて、購入者に渡されることが多い。
【０００３】
このような場合に購入者の手が汚れないような食品包装袋が提案されている（特許文献１）。
【特許文献１】実用新案登録第３１０５４０８号公報
【発明の開示】
【発明が解決しようとする課題】
【０００４】
袋に入れられた食品を食する場合、購入者は袋の外側から片手で袋の中の食品を掴んで食品を支持し、袋の開口部から外部に露出している食品に齧りつくことになる。
【０００５】
フライドチキンやコロッケなどのように長さのある食品をこのようにして食する場合、食品の一部（すなわち、開口部から外部に露出していた部分）を食べ終わった後、袋の中に隠れている部分を開口部の外側に引きずり出す必要がある。
【０００６】
この場合、購入者は、袋を少しずつ食品に対して相対的に下方にずらすことにより、食品を袋に対して相対的に上方に押し上げ、最終的に、食品を開口部から外部に露出させる作業を行わなければならない。
【０００７】
当然のことながら、この作業は、食品が袋ごと落ちないように、指で食品及び袋の双方を抑えながら行うことが必要である。
【０００８】
しかしながら、多くの人にそのような経験があるものと思われるが、指で食品及び袋の双方を抑えながら、袋を少しずつ食品に対して相対的に下方にずらす、すなわち、食品を少しずつ袋に対して相対的に上方に押し上げるという作業はかなり困難な作業に属する。
【０００９】
特許文献１に記載されている食品包装袋は、購入者の手が汚れないように、袋本体の内側に不織布を配置しただけのものであり、特許文献１においては、上記のような作業が困難であることは認識されておらず、さらには、そのような作業を回避するための提案もなされていない。
【００１０】
本発明はこのような問題に鑑みてなされたものであり、上記のような困難な作業を比較的容易に行うことを可能にする食品用袋及び食品用袋に用いる指サックを提供することを目的とする。
【課題を解決するための手段】
【００１１】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１２】
上記の目的を達成するため、本発明は、開口部（１１１）を有する袋本体（１１０）と、指サック部材（１２０）とを備える食品用袋（１００）であって、前記指サック部材（１２０）は、前記袋本体（１１０）の前記開口部（１１１）を形成する側面のうち、少なくとも相互に対向する側面の何れか一方の外側表面（１１２）に沿って延びており、前記指サック部材（１２０）には前記食品用袋（１００）のユーザーが一本の指を入れることができる空洞部（１２１）が形成されており、前記指サック部材（１２０）は前記袋本体（１１０）とは別体の袋状部材からなり、前記指サック部材（１２０）は前記空洞部（１２１）の開口部の一点において前記袋本体（１１０）に対して連結されている食品用袋（１００）を提供する。
【００１３】
例えば、前記指サック部材（１２０）は前記側面の双方の外側表面（１１２）に形成されており、前記指サック部材（１２０）は、前記空洞部（１２１）の前記開口部（１１１）が同じ方向を向くように、前記袋本体（１１０）に対して取り付けられているようにすることができる。
【００１４】
前記食品用袋（２００）は複数の指サック部材（２２０Ａ、２２０Ｂ、２２０Ｃ）を備えることが可能であり、この場合、前記複数の指サック部材（２２０Ａ、２２０Ｂ、２２０Ｃ）は前記開口部（１１１）と前記袋本体（１１０）の底部（１１３）との間において相互に間隔を開けて配置される。
【発明の効果】
【００１５】
本発明に係る食品用袋によれば、ユーザーは一対の指サック部材に入れている２本の指を使って（あるいは、他の３本の指も使って）、袋本体を少しずつ食品に対して相対的に下方にずらす、すなわち、食品を少しずつ袋本体に対して相対的に上方に押し上げることにより、袋本体の中にある食品の部分を袋本体の開口部から外側に露出させるという、従来は困難であった作業を比較的容易に行うことができる。
【発明を実施するための最良の形態】
【００１６】
（第一の実施形態）
図１（Ａ）は本発明の第一の実施形態に係る食品用袋１００の平面図であり、図１（Ｂ）は食品用袋１００を図１（Ａ）のＢ方向から見たときの上面図である。
【００１７】
本実施形態に係る食品用袋１００は、袋本体１１０と、一対の指サック部材１２０と、を備えている。
【００１８】
袋本体１１０はその上端（図１（Ａ）における上端）において一つの開口部１１１を有しており、開口部１１１以外の領域は閉じられている。
【００１９】
袋本体１１０は紙、ビニールその他の樹脂などの材質からなる。例えば、油で揚げた物を入れる場合には、袋本体１１０は油紙などの耐油性を有する材質からつくることも可能である。
【００２０】
一対の指サック部材１２０の各々は、袋本体１１０の開口部１１１を形成する側面のうち、相互に対向する側面の各々の外側表面１１２に沿って、あるいは、外側表面１１２上に延びるように形成されている。
【００２１】
一対の指サック部材１２０の各々には食品用袋１００のユーザーが一本の指を入れることができる空洞部１２１が形成されている。
【００２２】
指サック部材１２０は、袋本体１１０と同様に、紙、ビニールその他の樹脂などの材質からなる。指サック部材１２０は袋本体１１０と同一の材質でもよく、あるいは、袋本体１１０とは異なる材質であってもよい。
【００２３】
一対の指サック部材１２０の各々は袋本体１１０とは別体の袋状部材からなっている。
【００２４】
さらに、一対の指サック部材１２０は、図１（Ｂ）に示すように、空洞部１２１の開口部１２２が同じ方向を向くように、さらに、指サック部材１２０の各々が袋本体１１０に対して可動であるように、袋本体１１０に対して取り付けられている。
【００２５】
具体的には、一対の指サック部材１２０の各々は、それらの空洞部１２１の開口部１２２の一点において、空洞部１２１の開口部１２２が同じ方向を向くように、袋本体１１０に対して連結されている。
【００２６】
図１（Ａ）に示すように、一対の指サック部材１２０の各々は袋本体１１０の一端（図１（Ａ）の右端）から他端（図１（Ａ）の左端）に向かって延び、袋本体１１０の幅（図１（Ａ）の左右方向における袋本体１１０の長さ）の半分以上の長さを有している。
【００２７】
また、一対の指サック部材１２０の各々は袋本体１１０の高さ（図１（Ａ）の上下方向における長さ）のほぼ中間の位置に配置されている。
【００２８】
図２は、本実施形態に係る食品用袋１００の使用状況を示す概略図である。
【００２９】
図２に示すように、本実施形態に係る食品用袋１００の使用時には、ユーザーは一対の指サック部材１２０の各々に一本ずつ指を入れることにより（例えば、親指と人指し指）、袋本体１１０の中の食品１３０を袋本体１１０の外側から掴むことができる。
【００３０】
袋本体１１０の開口部１１１から外部に露出している食品１３０の部分１３１を食べ終わると、ユーザーは、袋本体１１０の内部にある食品１３０の他の部分１３２を袋本体１１０の開口部１１１から外部に露出させるため、袋本体１１０を少しずつ食品１３０に対して相対的に下方にずらす、あるいは、食品１３０を袋本体１１０に対して相対的に上方に押し上げる作業を行うことが必要になる。
【００３１】
ユーザーの指が入れられている一対の指サック部材１２０は袋本体１１０に対して連結されているため、ユーザーが袋本体１１０から指を離しても、袋本体１１０が食品１３０ごと落下することはない。
【００３２】
このため、ユーザーは一対の指サック部材１２０に入れている２本の指及び他の３本の指を使って、袋本体１１０を少しずつ食品１３０に対して相対的に下方にずらす、すなわち、食品１３０を少しずつ袋本体１１０に対して相対的に上方に押し上げることにより、食品１３０の部分１３２を袋本体１１０の開口部１１１から外側に露出させるという、従来は困難であった作業を比較的容易に行うことができる。
【００３３】
本実施形態に係る食品用袋１００の構造は上記の構造に限定されるものではなく、種々の改変が可能である。
【００３４】
本実施形態に係る食品用袋１００においては、指サック部材１２０は袋本体１１０の一対の外側表面１１２の双方に対応して形成されているが、指サック部材１２０は何れか一方の外側表面１１２にのみ対応して形成することも可能である。指サック部材１２０を何れか一方の外側表面１１２にのみ対応して形成する場合、指サック部材１２０を袋本体１１０の一対の外側表面１１２の双方に対応して形成する場合と比較して、操作性は若干低下するが、第一の実施形態に係る食品用袋１００と同様の効果を得ることが可能である。
【００３５】
袋本体１１０と一対の指サック部材１２０とは一体的に形成してもよく、あるいは、それぞれを別個に製作した後、一対の指サック部材１２０を袋本体１１０に対して取り付けることも可能である。
【００３６】
また、一対の指サック部材１２０の長さ（図１（Ａ）の左右方向における長さ）は図１（Ａ）に示した長さに限定されるものではなく、ユーザーが袋本体１１０の中の食品１３０を掴むのに適した長さである限りにおいて、任意の長さを選定することが可能である。
【００３７】
例えば、一対の指サック部材１２０の長さとしては、袋本体１１０の幅（図１（Ａ）の左右方向における袋本体１１０の長さ）と同一の長さとしてもよく、あるいは、袋本体１１０の幅よりも大きい長さを選定することも可能である（この場合には、一対の指サック部材１２０が袋本体１１０の外側にまで延びることになる）。
【００３８】
また、一対の指サック部材１２０を配置する袋本体１１０の高さの位置は任意である。本実施形態に係る食品用袋１００においては、袋本体１１０の高さのほぼ中間の位置に一対の指サック部材１２０の各々が配置されているが、それよりも高い位置、あるいは、低い位置に一対の指サック部材１２０を配置することも可能である。
【００３９】
（第二の実施形態）
図３（Ａ）は本発明の第二の実施形態に係る食品用袋２００の平面図であり、図３（Ｂ）は食品用袋２００を図３（Ａ）のＢ方向から見たときの上面図である。
【００４０】
本実施形態に係る食品用袋２００は３対の指サック部材２２０Ａ、２２０Ｂ、２２０Ｃを備えている。このように複数対の指サック部材を備えている点を除いて、本実施形態に係る食品用袋２００は第一の実施形態に係る食品用袋１００と同一の構造を有している。このため、第一の実施形態に係る食品用袋１００と同一の構成要素に対しては第一の実施形態と同様の参照符号を用いる。
【００４１】
３対の指サック部材２２０Ａ、２２０Ｂ、２２０Ｃの各々は第一の実施形態に係る食品用袋１００における一対の指サック部材１２０と同一の構造を有している。
【００４２】
３対の指サック部材２２０Ａ、２２０Ｂ、２２０Ｃは袋本体１１０の開口部１１１と袋本体１１０の底部１１３との間において相互に間隔を開けて配置されている。例えば、３対の指サック部材２２０Ａ、２２０Ｂ、２２０Ｃは等間隔に配置される。
【００４３】
本実施形態に係る食品用袋２００によれば、３対の指サック部材２２０Ａ、２２０Ｂ、２２０Ｃが形成されているため、ユーザーは任意の指サック部材を選択することができるとともに、例えば、袋本体１１０の中の食品１３０（図２参照）を袋本体１１０に対して相対的に上方にずり上げるときに、適当な位置にある指サック部材を交互に選択することができるため、より容易に食品１３０のずり上げを行うことが可能である。
【００４４】
なお、指サック部材の対の数は３に限定されるものではなく、２または４以上の任意の数を選択することが可能である。
【００４５】
また、第一の実施形態に係る食品用袋１００の場合と同様に、指サック部材２２０Ａ、２２０Ｂ、２２０Ｃは袋本体１１０の一対の外側表面１１２の何れか一方にのみ対応して形成することも可能である。
【図面の簡単な説明】
【００４６】
【図１】図１（Ａ）は本発明の第一の実施形態に係る食品用袋の平面図であり、図１（Ｂ）は本発明の第一の実施形態に係る食品用袋を図１（Ａ）のＢ方向から見たときの上面図である。
【図２】本発明の第一の実施形態に係る食品用袋の使用状況を示す概略図である。
【図３】図３（Ａ）は本発明の第二の実施形態に係る食品用袋の平面図であり、図３（Ｂ）は本発明の第二の実施形態に係る食品用袋を図３（Ａ）のＢ方向から見たときの上面図である。
【符号の説明】
【００４７】
１００  本発明の第一の実施形態に係る食品用袋
１１０  袋本体
１１１  袋本体の開口部
１１２  袋本体の外側表面
１２０  指サック部材
１２１  空洞部
１２２  空洞部の開口部
１３０  食品
２００  本発明の第二の実施形態に係る食品用袋
２２０Ａ、２２０Ｂ、２２０Ｃ  指サック部材
【要約】
【課題】袋本体１１０を少しずつ食品１３０に対して相対的に下方にずらす、すなわち、食品１３０を少しずつ袋本体１１０に対して相対的に上方に押し上げることにより、食品１３０の部分１３２を袋本体１１０の開口部１１１から外側に露出させるという、従来は困難であった作業を比較的容易に行うことを可能にする食品用袋を提供する。
【解決手段】食品用袋１００は、袋本体１１０と、袋本体１１０に取り付けられた一対の指サック部材１２０とからなり、ユーザーは一対の指サック部材１２０の各々に指を入れて袋本体１１０及び袋本体１１０の中の食品１３０を掴むことができ、上記の作業を比較的容易に行うことができる。
【選択図】図２【図１】
0004153551.tif 000002
【図２】
0004153551.tif 000003
【図３】
0004153551.tif 000004